(57)【要約】【課題】ユーザの使い勝手が向上された画像形成装置及び画像形成システムを提供すること。【解決手段】複数の原稿ページから成る原稿の画像データに基づいて画像を用紙上に形成すると共に指示に応じてウォーターマークを用紙に形成する画像形成部と、用紙に後処理を施す後処理部と、後処理の実行対象となる原稿ページの区分の指定を受け付けるページ単位設定エリアＧ２３と、ウォーターマークを複数の原稿ページのうち先頭の原稿ページに形成する指示を受け付ける付加ページ設定部Ｇ３１ｅと、後処理の実行対象となる原稿ページの区分が受け付けられ、且つ、ウォーターマークを複数の原稿ページのうち先頭の原稿ページに形成させる指示が受け付けられた場合、画像形成部に区分毎の先頭の原稿ページにウォーターマークを形成する制御部１１０と、備えた画像形成装置。【選択図】図１２
2008205900.tif 000002
【特許請求の範囲】
【請求項１】
複数の原稿ページから成る原稿の画像データ及び予め設定された付加画像に基づいて画像を用紙上に形成する画像形成部と、
前記用紙に後処理を施す後処理装置と、
前記原稿ページの前記後処理の区分を入力して設定する第１入力部と、
前記付加画像を前記複数の原稿ページのうち先頭の原稿ページに形成させる設定を行う第２入力部と、
前記第１入力部により前記原稿ページの前記後処理の区分が設定され、且つ、前記第２入力部により前記付加画像を前記複数の原稿ページのうち先頭の原稿ページに形成する設定がなされた場合、前記画像形成部に前記区分毎の先頭の原稿ページに前記付加画像を形成させる制御部と、
を備えること、
を特徴とする画像形成装置。
【請求項２】
複数の原稿ページから成る原稿の画像データ及び予め設定された付加画像に基づいて画像を用紙上に形成する画像形成部と、
前記用紙に後処理を施す後処理装置と、
前記画像形成部により画像が形成される用紙のうち、後処理を施す用紙と後処理を施さない用紙とを混在させる冊子分割モードの設定と、前記原稿ページの前記後処理の区分を設定する第１入力部と、
前記付加画像を前記複数の原稿ページのうち先頭の原稿ページへの形成を設定する第２入力部と、
前記第１入力部により前記冊子分割モードの指定が設定され、且つ、記第２入力部により前記付加画像を前記複数の原稿ページのうち先頭の原稿ページへの形成が設定された場合、前記画像形成部に前記区分毎の先頭の原稿ページに前記付加画像を形成させる制御部と、
を備えること、
を特徴とする画像形成装置。
【請求項３】
前記原稿ページの複数の区分のうち、先頭の区分のみに前記付加画像を形成させるか否かの設定を入力する第３入力部を備え、
前記制御部は、
前記第３入力部によって入力された設定に基づいて、前記原稿ページの区分毎に前記付加画像の形成を制御すること、
を特徴とする請求項１又は２記載の画像形成装置。
【請求項４】
前記後処理とは、前記画像が形成された複数の用紙を綴じるステイプル処理であること、
を特徴とする請求項１から３のいずれか一項に記載の画像形成装置。
【請求項５】
前記付加画像の種類の選択を入力して設定する第４入力部を備えること、
を特徴とする請求項１から４のいずれか一項に記載の画像形成装置。
【請求項６】
複数の原稿ページから成る原稿の画像データ、前記画像データに基づいて画像が形成される用紙に予め設定された付加画像を形成する指示及び前記用紙が施される後処理の指示を送信する操作装置と、前記操作装置から受信した画像データに基づいて画像を用紙上に形成すると共に、前記用紙に予め設定された付加画像を形成する設定に応じて前記用紙に前記付加画像を形成する画像形成部、前記用紙に後処理を施す後処理装置を有する画像形成装置と、が通信可能に接続された画像形成システムにおいて、
前記操作装置は、
前記後処理の実行対象となる前記原稿ページの区分の設定を入力する第１入力部と、
前記付加画像を前記複数の原稿ページのうち先頭の原稿ページに形成する設定を入力する第２入力部と、
を有し、
前記画像形成装置は、
前記第１入力部により後処理の実行対象となる前記原稿ページの区分が設定され、且つ、前記第２入力部により前記付加画像を前記複数の原稿ページのうち先頭の原稿ページに形成する設定が入力された場合、前記画像形成部に前記区分毎の先頭の原稿ページに前記付加画像を形成する制御部を有すること、
を特徴とする画像形成システム。
【請求項７】
複数の原稿ページから成る原稿の画像データ、前記画像データに基づいて画像が形成される用紙に予め設定された付加画像を形成させる指示及び前記用紙が施される後処理の指示を送信する操作装置と、前記操作装置から受信した画像データに基づいて画像を用紙上に形成すると共に、前記用紙に予め設定された付加画像を形成させる指示に応じて前記用紙に前記付加画像を形成させる画像形成部、前記用紙に後処理を施す後処理装置を有する画像形成装置と、が通信可能に接続された画像形成システムにおいて、
前記操作装置は、
前記画像形成部により画像が形成される用紙のうち、後処理を施す用紙と後処理を施さない用紙とを混在させる冊子分割モードの設定と、前記後処理の実行対象となる前記原稿ページの区分の設定を入力する第１入力部と、
前記付加画像を前記複数の原稿ページのうち先頭の原稿ページに形成する設定を入力する第２入力部と、
を有し、
前記画像形成装置は、
前記第１入力部において前記冊子分割モードが設定され、且つ、記第２入力部により前記付加画像を前記複数の原稿ページのうち先頭の原稿ページに形成する設定が入力された場合、前記画像形成部に前記区分毎の先頭の原稿ページに前記付加画像を形成する制御部を有すること、
を特徴とする画像形成システム。
【請求項８】
前記操作装置は、
前記原稿ページの複数の区分のうち、先頭の区分のみに前記付加画像を形成するか否かの設定を入力する第３入力部を有し、
前記制御部は、
前記第３入力部における設定に基づいて、前記原稿ページの区分毎の前記付加画像の形成を制御すること、
を特徴とする請求項６又は７記載の画像形成システム。
【請求項９】
前記後処理とは、前記画像が形成された複数の用紙を綴じるステイプル処理であること、
を特徴とする請求項６から８のいずれか一項に記載の画像形成システム。
【請求項１０】
前記操作装置は、
前記付加画像の種類の選択を入力して設定する第４入力部を有すること、
を特徴とする請求項６から９のいずれか一項に記載の画像形成システム。
【発明の詳細な説明】
【技術分野】
【０００１】
本発明は、原稿画像を用紙上に形成する画像形成部と原稿画像が形成された用紙に対して後処理を施す後処理装置とを備えた画像形成装置、及び当該画像形成装置と当該画像形成装置を操作する操作装置とが通信可能に接続された画像形成システムに関する。
【背景技術】
【０００２】
近年、原稿画像を用紙上に形成する画像形成部と、原稿画像が形成された用紙に対して、パンチ処理、ステイプル処理及び折り処理等の後処理を施す後処理装置とを備えた画像形成装置が提供されている。
【０００３】
例えば、このような画像形成装置としては、複数部の用紙の束を全て出力した後に、一括して部毎に綴じ処理を行うことができるようにするために、任意のページを指定するページ入力手段と、指定されたページ毎に指定したページまでの用紙を綴じるよう制御する制御部とを備える複写装置が開示されている（特許文献１参照）。
【０００４】
更に、ステイプル処理、折り処理等の後処理に加え、ページ番号のプリント、レイアウト処理等の機能を有する画像形成装置が登場している。このような画像形成装置には、複数の用紙、ジョブ単位、複数ページ単位及びページ単位での画像形成条件の設定が変更可能な画像形成装置がある。
【０００５】
例えば、複数ページの原稿を複数のグループに分け、グループ毎に設定された画像形成条件に従って全グループの画像形成を行う画像形成装置や、複数ページの原稿全体に関わる第１画像形成条件とは別に、複数ページの原稿全体のうち所定ページに対して、レイアウト・情報付加・後処理のうち少なくとも１つを第１画像形成条件とは異なる第２画像形成条件に設定し、所定ページは第２画像形成条件に従って画像形成を行う画像形成装置が開示されている（特許文献２参照）。
【特許文献１】特開平４−１４２９９３号公報
【特許文献２】特開２００４−２８７４１１号公報
【発明の開示】
【発明が解決しようとする課題】
【０００６】
しかしながら、このような従来の画像形成装置においては、複数の原稿ページから成る原稿グループが複数部集まった原稿に対して、先頭の原稿ページのみ予め登録された文字画像やシンボルマークの画像（以下、ウォーターマーク）を付加させる機能を設定した場合、先頭の原稿グループの先頭原稿ページのみしかウォーターマークが付加されない。全ての原稿グループの先頭の原稿ページにウォーターマークを付加させるには、原稿ページ毎又は原稿グループ毎にウォーターマークの付加の設定を行わなくてはならず、ユーザにとって煩雑な作業となり使い勝手も良いものではないという問題がある。
【０００７】
本発明の課題は、ウォーターマークのプリント処理において、ユーザに対する使い勝手が向上された画像形成装置及び画像形成システムを提供することである。
【課題を解決するための手段】
【０００８】
請求項１に記載の発明は、複数の原稿ページから成る原稿の画像データ及び予め設定された付加画像に基づいて画像を用紙上に形成する画像形成部と、前記用紙に後処理を施す後処理装置と、前記原稿ページの前記後処理の区分を入力して設定する第１入力部と、前記付加画像を前記複数の原稿ページのうち先頭の原稿ページに形成させる設定を行う第２入力部と、前記第１入力部により前記原稿ページの前記後処理の区分が設定され、且つ、前記第２入力部により前記付加画像を前記複数の原稿ページのうち先頭の原稿ページに形成する設定がなされた場合、前記画像形成部に前記区分毎の先頭の原稿ページに前記付加画像を形成させる制御部と、を備える画像形成装置であること、を特徴としている。
【０００９】
請求項２に記載の発明は、複数の原稿ページから成る原稿の画像データ及び予め設定された付加画像に基づいて画像を用紙上に形成する画像形成部と、前記用紙に後処理を施す後処理装置と、前記画像形成部により画像が形成される用紙のうち、後処理を施す用紙と後処理を施さない用紙とを混在させる冊子分割モードの設定と、前記原稿ページの前記後処理の区分を設定する第１入力部と、前記付加画像を前記複数の原稿ページのうち先頭の原稿ページへの形成を設定する第２入力部と、前記第１入力部により前記冊子分割モードの指定が設定され、且つ、記第２入力部により前記付加画像を前記複数の原稿ページのうち先頭の原稿ページへの形成が設定された場合、前記画像形成部に前記区分毎の先頭の原稿ページに前記付加画像を形成させる制御部と、を備える画像形成装置であること、を特徴としている。
【００１０】
請求項３に記載の発明は、請求項１又は２記載の画像形成装置において、前記原稿ページの複数の区分のうち、先頭の区分のみに前記付加画像を形成させるか否かの設定を入力する第３入力部を備え、前記制御部は、前記第３入力部によって入力された設定に基づいて、前記原稿ページの区分毎に前記付加画像の形成を制御すること、を特徴としている。
【００１１】
請求項４に記載の発明は、請求項１から３のいずれか一項に記載の画像形成装置において、前記後処理とは、前記画像が形成された複数の用紙を綴じるステイプル処理であること、を特徴としている。
【００１２】
請求項５に記載の発明は、請求項１から４のいずれか一項に記載の画像形成装置において、前記付加画像の種類の選択を入力して設定する第４入力部を備えること、を特徴としている。
【００１３】
請求項６に記載の発明は、複数の原稿ページから成る原稿の画像データ、前記画像データに基づいて画像が形成される用紙に予め設定された付加画像を形成する指示及び前記用紙が施される後処理の指示を送信する操作装置と、前記操作装置から受信した画像データに基づいて画像を用紙上に形成すると共に、前記用紙に予め設定された付加画像を形成する設定に応じて前記用紙に前記付加画像を形成する画像形成部、前記用紙に後処理を施す後処理装置を有する画像形成装置と、が通信可能に接続された画像形成システムにおいて、前記操作装置は、前記後処理の実行対象となる前記原稿ページの区分の設定を入力する第１入力部と、前記付加画像を前記複数の原稿ページのうち先頭の原稿ページに形成する設定を入力する第２入力部と、を有し、前記画像形成装置は、前記第１入力部により後処理の実行対象となる前記原稿ページの区分が設定され、且つ、前記第２入力部により前記付加画像を前記複数の原稿ページのうち先頭の原稿ページに形成する設定が入力された場合、前記画像形成部に前記区分毎の先頭の原稿ページに前記付加画像を形成する制御部を有する画像形成システムであること、を特徴としている。
【００１４】
請求項７に記載の発明は、複数の原稿ページから成る原稿の画像データ、前記画像データに基づいて画像が形成される用紙に予め設定された付加画像を形成させる指示及び前記用紙が施される後処理の指示を送信する操作装置と、前記操作装置から受信した画像データに基づいて画像を用紙上に形成すると共に、前記用紙に予め設定された付加画像を形成させる指示に応じて前記用紙に前記付加画像を形成させる画像形成部、前記用紙に後処理を施す後処理装置を有する画像形成装置と、が通信可能に接続された画像形成システムにおいて、前記操作装置は、前記画像形成部により画像が形成される用紙のうち、後処理を施す用紙と後処理を施さない用紙とを混在させる冊子分割モードの設定と、前記後処理の実行対象となる前記原稿ページの区分の設定を入力する第１入力部と、前記付加画像を前記複数の原稿ページのうち先頭の原稿ページに形成する設定を入力する第２入力部と、を有し、前記画像形成装置は、前記第１入力部において前記冊子分割モードが設定され、且つ、記第２入力部により前記付加画像を前記複数の原稿ページのうち先頭の原稿ページに形成する設定が入力された場合、前記画像形成部に前記区分毎の先頭の原稿ページに前記付加画像を形成する制御部を有する画像形成システムであること、を特徴としている。
【００１５】
請求項８に記載の発明は、請求項６又は７記載の画像形成システムにおいて、前記操作装置は、前記原稿ページの複数の区分のうち、先頭の区分のみに前記付加画像を形成するか否かの設定を入力する第３入力部を有し、前記制御部は、前記第３入力部における設定に基づいて、前記原稿ページの区分毎の前記付加画像の形成を制御すること、を特徴としている。
【００１６】
請求項９に記載の発明は、請求項６から８のいずれか一項に記載の画像形成システムにおいて、前記後処理とは、前記画像が形成された複数の用紙を綴じるステイプル処理であること、を特徴としている。
【００１７】
請求項１０に記載の発明は、請求項６から９のいずれか一項に記載の画像形成システムにおいて、前記操作装置は、前記付加画像の種類の選択を入力して設定する第４入力部を有すること、を特徴としている。
【発明の効果】
【００１８】
請求項１、２、６、７に記載の発明によれば、各区分の先頭の原稿ページに付加画像を形成させることができるため、ユーザは、後処理が実行される原稿ページの区分毎に付加画像を設定する手間が省かれるため、ユーザの勝手を向上することができる。
【００１９】
請求項３、８に記載の発明によれば、請求項１又は２、６又は７と同様の効果を得られるのは勿論のこと、原稿ページの複数の区分のうち、先頭の区分のみに付加画像を形成するか、全ての区分に付加画像を形成するかをユーザが任意に選択することができ、ユーザの利便性を向上することができる。
【００２０】
請求項４、９に記載の発明によれば、請求項１から３、６から８のいずれか一項と同様の効果を得られるのは勿論のこと、ステイプル処理が施される用紙の束の先頭の原稿ページに、付加画像を形成することができる。
【００２１】
請求項５、１０に記載の発明によれば、請求項１から４、６から９のいずれか一項と同様の効果を得られるのは勿論のこと、付加画像の種類をユーザが選択することができるため、ユーザが所望する種類の付加画像を用紙に形成することができる。
【発明を実施するための最良の形態】
【００２２】
以下、図を参照して本発明の実施の形態を詳細に説明する。
まず、構成を説明する。
図１に、本実施の形態における画像形成システムＡの構成を示す。
【００２３】
図１に示すように、画像形成システムＡは、操作装置１と画像形成装置２とを備え、各装置はネットワークＮを介して通信可能に構成されている。なお、図１には、１台の操作装置１と３台の画像形成装置２が接続された例を示したが、各装置の設置台数は特に限定しない。
【００２４】
操作装置１は、画像形成装置２を遠隔操作することを目的とし、例えば、操作装置１から画像形成装置２を制御してプリント処理を実行させる場合に、操作装置１はプリント時に設定された各種設定条件及び画像データを画像形成装置２に送信する。操作装置１としては、例えば、汎用のＰＣ等の情報処理装置が適用可能である。
【００２５】
画像形成装置２は、用紙上に画像を形成する画像形成機能と、画像が形成された用紙に対して穴あけ処理、ステイプル処理、折り処理、断裁処理等の後処理機能とを併せ持ち、装置本体に設けられた操作部からの設定指示又は操作装置１から送信される各種設定指示に従って処理を行う装置である。
【００２６】
ネットワークＮは、ＬＡＮ（Local Area Network）、ＷＡＮ（Wide Area Network）としてもよく、また、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線等と、それらを接続するインターネットサービスプロバイダなどを含む構成でもよい。
【００２７】
まず、操作装置１について説明する。
図２に、操作装置１の内部構成図を示す。
図２に示すように、操作装置１は、制御部１１、記憶部１２、ＲＡＭ（Random Access Memory）１３、操作部１４、表示部１５、通信部１６等を備え、各部はバス１７等を介して互いに通信可能に接続されている。
【００２８】
制御部１１は、ＣＰＵ（Central Processing Unit）等を備え、記憶部１２に記憶されているシステムプログラム、各種制御プログラム、各種データ等をＲＡＭ１３内に展開し、これらのプログラム及びデータとの協働により、操作装置１の動作全般を統括的に制御する。また、制御部１１は、ＲＡＭ１３に展開したプログラムに従って各種処理を実行し、その処理結果をＲＡＭ１３に格納するとともに、表示部１５に表示させる。そして、ＲＡＭ１３に格納した処理結果を記憶部１２の所定の保存先に保存させる。
【００２９】
また制御部１１は、記憶部１２に記憶されたアプリケーションソフトプログラムやプリンタドライバを実行させるプリンタドライバプログラム１２ａ及び各種データの協働によってプリント制御処理等を実行し、その処理結果をＲＡＭ１３に格納するとともに、表示部１５に表示する。
【００３０】
記憶部１２は、ＲＯＭ（Read Only Memory）やＨＤＤ（Hard Disk Drive）等の不揮発性の記憶媒体を備え、この記憶媒体内に、制御部１１により実行されるシステムプログラム、各種制御プログラム、各種アプリケーションプログラム、プリンタドライバプログラム１２ａ及びこれらのプログラムに係るデータ等を記憶している。
【００３１】
ＲＡＭ１３は、制御部１１によって実行される各種プログラム及びこれらに係るデータを一時的に記憶するワークエリアを形成する。
【００３２】
操作部１４は、操作装置１内及び画像形成装置２に対する動作指示を入力するための数字キー、文字キー、カーソル移動キー及び各種機能キー等から構成されたキーボードと、マウス等のポインティングデバイスとを備えて構成される。操作部１４は、キーボードによる押下信号とマウスによる操作信号とを入力信号として制御部１１に出力する。
【００３３】
表示部１５は、ＬＣＤ（Liquid Crystal Display）等を備えて構成され、制御部１１から入力される表示信号に従って表示画面上に各種設定画面の表示を行う。
【００３４】
通信部１６は、ネットワークインターフェースカード（ＮＩＣ；Network Interface Card）、モデム（ＭＯＤＥＭ：MOdulator-DEModulator）、ＵＳＢ（Universal Serial Bus
）等の各種インターフェイスを備えて構成され、ネットワークＮ上の外部機器と相互に情報の送受信を行う。
【００３５】
図３〜５に、表示部１５の表示画面上に表示させる各種設定画面の例を示す。各種設定画面は、画像形成装置２にプリント処理を実行させる際にプリント処理における各種設定条件を入力して設定するための画面である。
図３に、セットアップ画面Ｇ０、図４に、ページ単位設定画面Ｇ２０ａ、図５に、ウォーターマーク設定画面Ｇ３０の例を示す。
【００３６】
図３に示すセットアップ画面Ｇ０には、用紙設定エリアＧ１１、出力設定エリアＧ１２、製本設定エリアＧ１３、プレビューエリアＧ１４を含むセットアップインデックスＧ１と、ページ単位設定画面に切り替えるページ単位設定インデックスＧ２、特殊機能設定画面に切り替える特殊画面インデックスＧ３、フォーム設定画面に切り替えるフォームインデックスＧ４、ウォーターマーク設定画面に切り替えるウォーターマークインデックスＧ５、画像品質設定画面に切り替える画像品質インデックスＧ６、フォント設定画面に切り替えるフォントインデックスＧ７、プリンタドライバの改訂版を表示するバージョン確認画面に切り替えるバージョンインデックスＧ８等を有する。
【００３７】
製本設定エリアＧ１３は、綴じ位置を設定する綴じ位置設定釦やコピーモードを設定するコピーモード設定釦、複数の原稿を１ページに割り付けて集約するか否かを設定するページ割付設定部、ページ割付設定部がチェックされた場合に集約される原稿の数を設定する集約枚数設定釦、とじ代を任意に設定するか否かを設定するとじ代設定部、とじ代設定部がチェックされた場合にとじ代の幅や画像位置等のとじ代の詳細な情報を設定する画面を表示させる綴じ代設定釦、ステイプルの有無を設定するステイプル設定部Ｇ１３ａ、ステイプル設定部Ｇ１３ａがチェックされた場合にステイプルの種類を設定するステイプル設定釦Ｇ１３ｂ等を有している。
【００３８】
図４に示すページ単位設定画面Ｇ２０ａは、オモテ表紙設定エリアＧ２１、ウラ表紙設定エリアＧ２２、ページ単位設定エリアＧ２３、プレビューエリアＧ２４等を含むページ単位設定インデックスＧ２が表示されている。
【００３９】
ページ単位設定エリアＧ２３は、原稿ページ単位毎に各種設定条件を設定するか否かの設定を行うページ単位設定部Ｇ２３ａ、ページ単位設定部Ｇ２３ａがチェックされた場合に予め定められた複数の各種設定条件からユーザが所望する各種設定条件を設定する条件選択釦Ｇ２３ｂ、ページ単位設定部Ｇ２３ａがチェックされた場合の原稿ページ毎の各種設定条件が表示された一覧エリアＧ２３ｃ等を有している。
【００４０】
ここで、本実施の形態においては、ページ単位設定部Ｇ２３ａへチェックを入力することにより、後処理を施す用紙と後処理を施さない用紙とを混在させる冊子分割モードの設定がなされる。
【００４１】
一覧エリアＧ２３ｃは、原稿ページを識別する識別番号と識別番号に対応して後処理の種類の設定（ここでは、ステイプルの有無及びステイプル位置を示す。）、原稿ページの後処理の終了位置又は区分位置か否かの設定（ここでは、ステイプル終了位置を示す。）等の個別条件が設定可能に表示されている。ここでは、６枚の原稿ページについて、それぞれ各条件について個別に設定されている。例えば、識別番号が１及び２、４及び５の原稿ページは、ステイプルが１ヶ所、ステイプルの終了位置の指定なしと設定されている。識別番号が３及び６の原稿ページは、ステイプルが１ヶ所、ステイプルの終了位置の指定ありと設定されている。従って、１〜３の原稿ページの画像が形成されステイプル処理された用紙の束と、識別番号４〜６の原稿ページの画像が形成されステイプル処理された用紙の束との２つの用紙の束が形成されることとなる。
【００４２】
なお、個別条件としては、後処理の種類、区分位置のみに限らず、コピーモード、給紙トレイ等を含んでもよく、これに限らない。
【００４３】
プレビューエリアＧ２４は、一覧エリアＧ２３ｃにおいて、選択された原稿ページのプリントイメージ画像が表示される。
【００４４】
図５に示すウォーターマーク設定画面Ｇ３０は、ウォーターマーク設定エリアＧ３１、日付／時刻設定エリアＧ３２、ページ番号設定エリアＧ３３、ナンバリング設定エリアＧ３４、プレビューエリアＧ３５等を有している。
【００４５】
ウォーターマーク設定エリアＧ３１は、用紙に形成する付加画像としてのウォーターマークを付加するか否かの設定を行うウォーターマーク設定部Ｇ３１ａ、用紙に形成するウォーターマークとして予め登録された文字画像やシンボルマークの画像を設定するウォーターマーク選択釦Ｇ３１ｂ、ウォーターマークの画像を新規に作成又は予め登録されている文字画像やシンボルマークを編集するウォーターマーク編集釦Ｇ３１ｃ、ウォーターマークとして形成する画像を原稿ページの画像に合成して形成するか又は原稿ページの画像よりも薄い濃度で合成して原稿ページの画像に透過して見えるように形成するかの選択を入力して設定するタイプ選択ボタンＧ３１ｄ、先頭の原稿ページ（１ページ目）にウォーターマークを付加するか否かを入力して設定する付加ページ設定部Ｇ３１ｅ、ウォーターマークを先頭冊子のみに形成するか否かを入力して設定する付加冊子設定部Ｇ３１ｆ、形成されるウォーターマークのイメージ画像を表示するイメージ表示エリアＧ３１ｇ等を有している。
【００４６】
即ち、ウォーターマークは、文字画像やシンボルマークの画像と、ウォーターマークを形成する際に原稿ページの画像に対して上書きして合成するか又は原稿ページの画像よりも薄い濃度で形成して原稿ページの画像が透過して見えるように合成するかとの組合せにより構成される画像であり、これらの組合せの条件に応じてウォーターマークの種類が複数存在する。
【００４７】
本発明において、原稿ページの後処理の区分を入力して設定する第１入力部は、ページ単位設定エリアＧ２３である。付加画像としてのウォーターマークを複数の原稿ページのうち先頭の原稿ページに形成させる設定を入力する第２入力部は、付加ページ設定部Ｇ３１ｅである。付加画像としてのウォーターマークの種類の選択を入力して設定する第４入力部は、ウォーターマーク選択釦Ｇ３１ｂ、ウォーターマーク編集釦Ｇ３１ｃ及びタイプ選択ボタンＧ３１ｄから構成されている。原稿ページの複数の区分のうち先頭の区分のみに付加画像としてのウォーターマークを形成させるか否かを入力して設定する第３入力部は、付加冊子設定部Ｇ３１ｆである。
【００４８】
次に、画像形成装置２について説明する。
図６に、画像形成装置２の概略断面構成図を示す。
画像形成装置２は、原稿から画像を読み取り、読み取った画像を用紙Ｐに画像形成したり、操作装置１等から画像データを受信し画像データに基づいて画像を用紙Ｐ上に形成する画像形成部と、画像が形成された用紙に対して、パンチ処理、ステイプル処理、折り処理、断裁処理等を施す後処理装置等を備えたデジタル複合機である。図６に示すように、画像形成装置２は、画像読取部２０と、プリント部４０と、後処理装置５０と、を備えて構成される。
【００４９】
画像読取部２０は、ＡＤＦ（Auto Document Feeder）と称される自動原稿送り部２１と読取部２２とを備える。自動原稿送り部２１の原稿トレイＴ１に載置された原稿ｄは、読取部２２の読取個所であるコンタクトガラスに搬送され、読取部２２の光学系により原稿ｄの片面又は両面の画像が読み取られ、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００５０】
読取部２２により読み取られた画像（アナログ画像信号）は、後述する画像制御部に出力され、画像制御部においてＡ／Ｄ変換され各種画像処理が施された後、プリント部４０に出力される。
【００５１】
プリント部４０は、入力されたプリントデータに基づいて、電子写真方式の画像形成処理を行うものであり、給紙部４１、給紙搬送部４２、画像形成部４３、搬出部４４を備えて構成される。
【００５２】
給紙部４１は、複数の給紙カセット４１ａ、給紙手段４１ｂ、手差しトレイＴ２等を備える。給紙カセット４１ａは、給紙カセット４１ａ毎にサイズや種類毎に予め識別された用紙Ｐが収容されており、給紙手段４１ｂによって用紙Ｐを最上部から一枚ずつ給紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ給紙搬送部４２に向けて搬送する。
【００５３】
給紙搬送部４２は、給紙カセット４１ａ又は手差しトレイＴ２から搬送された用紙Ｐを、複数の中間ローラ、レジストローラ４２ａ等を経て転写装置４３ａへと搬送する。
また、給紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００５４】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備えている。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００５５】
定着装置４３ｂは、給紙搬送部４２によって搬送された用紙Ｐに転写されたトナー像を熱定着する。定着処理された用紙Ｐは、搬出部４４の排紙ローラに挟持されて搬出口から後処理装置５０へ搬送される。
【００５６】
後処理装置５０は、画像が形成された用紙のソート処理を行うソート部、パンチ処理を行うパンチユニット、用紙の束にステイプル処理を行うステイプルユニット、折り処理を行う折りユニット、断裁処理を行う断裁ユニット等を備える。各種処理が施された又は施されなかった用紙は、排紙トレイＴ３に排紙される。
【００５７】
図７に、画像形成装置２の制御ブロック図を示す。
図７に示すように、画像形成装置２は、本体部２ａとプリンタコントローラ２ｂと、本体部２ａに接続された後処理装置５０から構成されている。画像形成装置２は、プリンタコントローラ２ｂのＬＡＮＩＦ（Local Area Network InterFace）２４ｂを介してネットワークＮ上の操作装置１と相互に情報の送受信が可能に接続されている。
【００５８】
本体部２ａは、画像読取部２０、操作表示部３０、プリント部４０、本体制御部１００を備えて構成される。なお、図６で説明した各部と同一の構成には、同一の符号を付してその説明を省略する。
【００５９】
本体制御部１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００６０】
制御部１１０は、ＣＰＵ（Central Processing Unit）等から構成され、不揮発メモリ１２０に格納されている各種処理プログラムに従って画像形成装置２の各部の動作を集中制御する。例えば、操作表示部３０や操作装置１から入力される指示信号に従って、コピーモード、プリンタモード、スキャナモードを切り替え、複写、プリント、画像データの読取等の制御を行う。
【００６１】
また、制御部１１０は、プリント部４０のプリント制御部４００に対して、画像書込信号ＰＶＶを送信する。画像書込信号ＰＶＶがＯＮ状態である場合を感光体ドラム上に形成されたトナー像が転写装置４３ａにおいて用紙Ｐに転写される状態とし、ＯＦＦ状態である場合を感光体ドラム上に形成されたトナー像が転写装置４３ａにおいて用紙Ｐに転写されない状態とする。
【００６２】
また、制御部１１０は、本実施の形態を実現させるために、不揮発メモリ１２０から本実施の形態に係るウォーターマーク設定プログラムとＲＡＭ１３０からジョブデータとを読み出して、当該プログラム及びデータとの協働により用紙に形成するウォーターマークの設定を制御する。制御部１１０は、操作表示部３０又は操作装置１において原稿ページの後処理の区分が設定され、且つ、ウォーターマークを複数の原稿ページのうち先頭の原稿ページ（１ページ目）に形成する設定がなされた場合、各区分の先頭の原稿ページ（１ページ目）にウォーマークを形成するよう制御する。
【００６３】
例えば、各区分の１ページ目にウォーターマークを形成するよう設定された場合としては、ページ単位設定部Ｇ２３ａがチェックされ、一覧エリアＧ２３ｃにおいてステイプル終了位置の指定があり、更にウォーターマーク設定部Ｇ３１ａがチェックされ、付加ページ設定部Ｇ３１ｅがチェックされた場合である。
【００６４】
なお、制御部１１０は、操作表示部３０又は操作装置１から冊子分割モードの指定が入力され、且つ、付加画像としてのウォーターマークを複数の原稿ページのうち先頭の原稿ページ（１ページ目）に形成する設定がなされた場合、すなわち本実施の形態においては、ページ単位設定部Ｇ２３ａがチェックされ、更にウォーターマーク設定部Ｇ３１ａがチェックされ、付加ページ設定部Ｇ３１ｅがチェックされた場合に、原稿ページの各区分の１ページ目にウォーターマークを形成するように制御しても良い。
【００６５】
不揮発メモリ１２０は、画像形成に係る各種処理プログラム及びデータの他、本実施の形態に係るウォーターマーク設定プログラム、予め登録されているウォーターマークとなる画像、画像が形成された用紙Ｐに対する後処理をプリント部４０を介して後処理装置５０に対し設定するためのデータ及び各種プログラムで処理されたデータ等を記憶する。
【００６６】
ＲＡＭ１３０は、制御部１１０により実行される各種プログラム及びこれらプログラムに係るデータ、ジョブデータ等を一時的に記憶するワークエリアを形成する。
【００６７】
図８に、ジョブデータの一例を示す。
図８に示すように、ジョブデータ１３１は、各原稿ページ共通のデータ（ページ共通データ１３１ａ）と、原稿ページ毎のデータ（ページ別データ１３１ｂ）とから構成されている。
【００６８】
ページ共通データ１３１ａは、操作装置１や操作表示部３０から入力される指示信号に基づいて設定された各種設定条件や画像形成動作及び後処理動作の動作状態を示すデータを含む。
【００６９】
例えば、ページ共通データ１３１ａとしては、用紙Ｐの出力部数を示す設定部数Ｄ１、出力済みの部数がカウントされた値を示す出力済み部数Ｄ２、画像データを形成する面、即ち片面から両面プリント、両面から片面プリント等を示すコピーモードＤ３、設定された後処理の種類（ステイプルの有無やステイプル位置等）が示される後処理モードＤ４、ウォーターマークの形成の有無（即ち、ウォーターマーク設定部Ｇ３１ａがチェックされたか否か）を示すウォーターマーク形成Ｄ５、ウォーターマーク形成Ｄ５が有りの場合にウォーターマークを形成する原稿ページは１ページ目のみか全ページか（付加ページ設定部Ｇ３１ｅがチェックされたか否か）を示すウォーターマーク付加ページＤ５ａ、ウォーターマーク形成Ｄ５が有り、且つ、複数の区分の原稿ページのうち先頭の区分のみウォーターマークを形成するか全ての区分にウォーターマークを形成するか（例えば、付加冊子設定部Ｇ３１ｆがチェックされたか否かにより、チェックされた場合には先頭の区分により形成される冊子のみ形成するとして０を示し、チェックされていない場合には全ての区分により形成される全ての冊子に形成するとして１を示す。）を示す付加冊子設定Ｄ５ｂ、画像形成処理される原稿ページに対応する個別画像データの識別番号を示すプリントページ番号Ｄ６、原稿ページの各区分における用紙のページ番号をカウントする区分ページカウンタＤ７、読み取られた個別画像データの総数ｎを示す読取済画像枚数Ｄ８等である。
【００７０】
ページ別データは、読み込まれた各原稿ページに対応する個別画像データに、識別番号（例えば、ページ１、ページ２・・・）が付され、個別に記憶される。各個別画像データは、当該個別画像データが格納されている画像メモリ１７０上のアドレスを示す画像格納アドレスＤ１１と、一覧エリアＧ２３ｃによって設定された各個別画像データに対する後処理（ここでは、ステイプルの有無）を示す後処理情報Ｄ１２及び各個別画像データに対する区分位置（ここでは、ステイプル終了位置の指定の有無）を示す区分情報Ｄ１３等から構成される。
【００７１】
読取処理部１４０は、画像読取部２０の読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００７２】
圧縮ＩＣ１５０は、入力されたデジタル画像データに圧縮処理を施してＤＲＡＭ制御ＩＣ１６０に出力する。
【００７３】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００７４】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データを一時的に格納するためのメモリである。
【００７５】
伸長ＩＣ１８０は、入力される圧縮画像データに伸長処理を施す。
【００７６】
書込処理部１９０は、ＤＲＡＭ制御ＩＣ１６０から入力された画像データに基づいて、画像形成のためのプリントデータを生成し、プリント部４０に出力する。
【００７７】
画像読取部２０は、ＣＣＤ２２ａ、画像読取制御部２００、その他ここでは図示しないが図６に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００７８】
操作表示部３０は、ＬＣＤ（Liquid Crystal Display）３１、操作表示制御部３００、その他図示しない操作キー群から構成される。ＬＣＤ３１上には、ＬＣＤ３１を覆うようにタッチパネルが設けられている。操作表示制御部３００は、制御部１１０から入力される表示信号に従って、各種設定条件を入力するための各種設定画面や各種処理結果等をＬＣＤ３１に表示させる。また、操作表示制御部３００は、操作キー群又はタッチパネルから入力される操作信号を制御部１１０に出力する。
【００７９】
また、操作表示部３０のＬＣＤ３１上には、図３〜５に示すような各種設定画面が表示される。設定画面には、後処理の実行対象となる原稿ページの区分を入力し設定する第１入力部と、付加画像としてのウォーターマークを複数の原稿ページのうち先頭の原稿ページに形成する設定を入力する第２入力部と、付加画像としてのウォーターマークの種類を選択して設定する第４入力部と、原稿ページの複数の区分のうち先頭の区分のみに付加画像としてのウォーターマークを形成するか否かの設定を入力する第３入力部が設けられている。
【００８０】
プリント部４０は、図６に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理装置５０の各部を動作させる指示信号を後処理制御部５００に出力する。
【００８１】
次に、プリントコントローラ２ｂの各部について説明する。プリントコントローラ２ｂは、画像形成装置２をネットワークプリンタとして使用する場合に、ネットワークＮに接続される操作装置１から画像形成装置２に入力されるジョブの管理及び制御を行うものであり、操作装置２からプリント対象のデータを受信し、当該データをジョブとして本体部２ａへ送信する。
【００８２】
プリンタコントローラ２ｂは、コントローラ制御部２１ｂ、ＤＲＡＭ制御ＩＣ２２ｂ、画像メモリ２３ｂ、ＬＡＮＩＦ２４ｂから構成される。
【００８３】
コントローラ制御部２１ｂは、プリントコントローラ２ｂ各部の動作を統括的に制御し、ＬＡＮＩＦ２４ｂを介して、操作装置１から入力されるデータをジョブとして本体部２ａへ送信する。
【００８４】
ＤＲＡＭ制御ＩＣ２２ｂは、ＬＡＮＩＦ２４ｂにより受信されたデータの画像メモリ２３ｂへの格納や、画像メモリ２３ｂからのデータの読み出しを制御する。また、ＤＲＡＭ制御ＩＣ２２ｂは、本体制御部１００のＤＲＡＭ制御ＩＣ１６０とＰＣＩ（Peripheral Components Interconnect）バスで接続されており、コントローラ制御部２１ｂからの指示に従って、プリント対象のデータを画像メモリ２３ｂから読み出してＤＲＡＭ制御ＩＣ１６０に出力する。
【００８５】
画像メモリ２３ｂは、ＤＲＡＭから構成され、入力された出力データを一時的に格納する。
【００８６】
ＬＡＮＩＦ２４ｂは、ＮＩＣ（Network Interface Card）やモデム等のＬＡＮ等のネットワークＮに接続するための通信インターフェイスであり、操作装置１からデータを受信する。受信されたデータは、ＤＲＡＭ制御ＩＣ２２ｂに出力される。
【００８７】
後処理装置５０は、ソートユニット、パンチユニット、ステイプルユニット、折りユニット、断裁ユニット等の各種後処理ユニットと、各種後処理ユニットへ用紙を搬送する搬送ローラ等の搬送手段が設けられており、各種後処理ユニットは後処理制御部５００により統括的に制御されている。後処理制御部５００は、制御部１１０からプリント制御部４００を介して入力される後処理の指示信号に応じて、用紙Ｐを搬送経路に沿って所定の処理ユニットに搬送し、各部を駆動制御して用紙Ｐに所定の後処理を行わせ、所定の排出トレイに排出する制御を行う。
【００８８】
次に、本実施の形態の動作を説明する。
図９〜１１に、本実施の形態におけるページ番号設定処理のフローチャートを示す。図９〜１１に示すフローチャートは、制御部１１０によって実行される処理である。
【００８９】
図９に示すフローチャートは、画像形成の開始時に実行される処理である。
制御部１１０は、まず、画像形成の開始前に、操作装置１又は操作表示部３０において各種設定条件及び画像データが入力された場合、入力された各種設定条件及び画像データをジョブデータとしてＲＡＭ１３０に記憶すると共に、ジョブデータを参照して、後処理モードＤ４及びウォーターマーク形成Ｄ５が共に設定されているか否か（ステイプル及びウォーターマーク形成の設定が有るか否か）を判定する（ステップＳ１）。
【００９０】
制御部１１０は、後処理モードＤ４及びウォーターマーク形成Ｄ５が共に設定されていない場合（ステップＳ１；Ｎｏ）、他の処理、例えば、ウォーターマーク形成無し等に対応した各種処理を実行する（ステップＳ２）。
【００９１】
制御部１１０は、後処理モードＤ４及びウォーターマーク形成Ｄ５が共に設定されている場合（ステップＳ１；Ｙｅｓ）、ジョブデータのプリントページ番号Ｄ６、区分ページカウンタＤ７を初期化（「１」に設定）する（ステップＳ３）。
【００９２】
ステップＳ３後、制御部１１０は、用紙に形成するプリントデータを生成するプリントページ設定処理を実行する（ステップＳ４）。
【００９３】
制御部１１０は、プリントページの設定処理後（ステップＳ４後）、プリント開始信号と共にジョブデータのコピーモードＤ３及び後処理モードＤ４をプリント制御部４００及び後処理制御部５００に送信する（ステップＳ５）。
【００９４】
制御部１１０は、ステップＳ５後、本処理を終了する。
【００９５】
図１０に、図９のステップＳ４で実行されるプリントページ設定処理のフローチャートを示す。プリントページ設定処理とは、各原稿ページに対応する個別画像データが設定されたジョブデータに応じてプリントページデータを生成し設定する処理である。
【００９６】
制御部１１０は、ジョブデータを参照して、後処理モードＤ４及びウォーターマーク形成Ｄ５が共に設定されているか否か（ステイプル及びウォーターマーク形成の設定が有るか否か）を判定し（ステップＳ１１）、後処理モードＤ４及びウォーターマーク形成Ｄ５が共に設定されていない場合（ステップＳ１１；Ｎｏ）、他の処理を実行する（ステップＳ１２）。
【００９７】
制御部１１０は、後処理モードＤ４及びウォーターマーク形成Ｄ５が共に設定されている場合（ステップＳ１１；Ｙｅｓ）、ジョブデータを参照し（ステップＳ１３）、プリントページ番号Ｄ６が示す原稿ページの識別番号に対応する画像格納アドレスＤ１１に格納されている個別画像データをページメモリ１７２に展開する（ステップＳ１４）。
【００９８】
制御部１１０は、個別画像データをページメモリ１７２に展開した後、ウォーターマーク付加ページＤ５ａが１ページ目のみに設定されているか否かを判定し（ステップＳ１５）、ウォーターマーク付加ページＤ５ａが１ページ目のみに設定されていない場合（ステップＳ１５；Ｎｏ）、ページメモリ１７２に展開された個別画像データをプリントページデータとして設定し、本処理を終了する。
【００９９】
制御部１１０は、ウォーターマーク付加ページＤ５ａが１ページ目のみに設定されている場合（ステップＳ１５；Ｙｅｓ）、区分ページカウンタＤ７が１であるか否かを判定し（ステップＳ１６）、区分ページカウンタＤ７が１でない場合（ステップＳ１６；Ｎｏ）、ページメモリ１７２に展開された個別画像データをプリントページデータとして設定し、本処理を終了する。
【０１００】
制御部１１０は、区分ページカウンタＤ７が１である場合（ステップＳ１６；Ｙｅｓ）、図５に示すウォーターマーク設定エリアＧ３１において設定された情報に基づくウォーターマークの画像データを生成し、生成したウォーターマークの画像データをページメモリ１７２に展開されている個別画像データに合成し、プリントページデータとして設定し（ステップＳ１７）、プリントページ設定処理を終了する。
【０１０１】
図１１に、画像形成処理開始後、画像書込信号ＰＶＶがＯＮ状態からＯＦＦ状態に切り替わった際に実行される処理のフローチャートを示す。
【０１０２】
制御部１１０は、まず、画像書込信号ＰＶＶがＯＮ状態からＯＦＦ状態に切り替わったか否かを判別し（ステップＳ２１）、画像書込信号ＰＶＶがＯＦＦ状態に切り替わっていない場合（ステップＳ２１；Ｎｏ）、切り替わるまで待機する。
【０１０３】
制御部１１０は、画像書込信号ＰＶＶがＯＮ状態からＯＦＦ状態に切り替わった場合（ステップＳ２１；Ｙｅｓ）、ジョブデータを参照して、後処理モードＤ４及びウォーターマーク形成Ｄ５が共に設定されているか否か（ステイプル及びウォーターマーク形成の設定が有るか否か）を判定し（ステップＳ２２）、後処理モードＤ４及びウォーターマーク形成Ｄ５が共に設定されていない場合（ステップＳ２２；Ｎｏ）、他の処理を実行する（ステップＳ２３）。
【０１０４】
制御部１１０は、後処理モードＤ４及びウォーターマーク形成Ｄ５が共に設定されている場合（ステップＳ２２；Ｙｅｓ）、プリントページ番号Ｄ６に１を加算する（ステップＳ２４）。
【０１０５】
制御部１１０は、プリントページ番号Ｄ６に１を加算する直前のプリントページ番号Ｄ６が示す原稿ページの識別番号に対応する後処理情報Ｄ１２が後処理有り（ステイプル有り）であるか否かを判定する（ステップＳ２５）。
【０１０６】
制御部１１０は、直前のプリントページ番号に対応する後処理情報Ｄ１２が後処理無し（ステイプル無し）である場合（ステップＳ２５；Ｎｏ）、ステップＳ２４において１が加算されたプリントページ番号Ｄ６に対応する後処理情報Ｄ１２が後処理有り（ステイプル有り）であるか否かを判定する（ステップＳ２６）。
【０１０７】
制御部１１０は、プリントページ番号Ｄ６に対応する後処理情報Ｄ１２が後処理無し（ステイプル無し）である場合（ステップＳ２６；Ｎｏ）、区分ページカウンタＤ７に１を加算し（ステップＳ２７）、ステップＳ３１に進む。
【０１０８】
制御部１１０は、プリントページ番号Ｄ６に対応する後処理情報Ｄ１２が後処理有り（ステイプル有り）である場合（ステップＳ２６；Ｙｅｓ）、ステップＳ２９に進む。
【０１０９】
制御部１１０は、プリントページ番号Ｄ６に１を加算する直前のプリントページ番号Ｄ６に対応する後処理情報Ｄ１２が後処理有り（ステイプル有り）である場合（ステップＳ２５；Ｙｅｓ）、直前のプリントページ番号Ｄ６に対応する区分情報Ｄ１３は有りか否かを判定する（ステップＳ２８）。
【０１１０】
制御部１１０は、直前のプリントページ番号Ｄ６に対応する区分情報Ｄ１３が無しである場合（ステップＳ２８；Ｎｏ）、ステップＳ２７に進む。
【０１１１】
制御部１１０は、直前のプリントページ番号Ｄ６に対応する区分情報Ｄ１３が有りである場合（ステップＳ２８；Ｙｅｓ）、付加冊子設定部Ｇ３１ｆがチェックされているか否か、即ち、付加冊子設定Ｄ５ｂが０か否かの判別、従って、複数の区分のうち先頭の区分により形成される冊子のみにウォーターマークを形成する又は全ての区分により形成される全ての冊子にウォーターマークを形成するかの判定を行う（ステップＳ２９）。
【０１１２】
制御部１１０は、付加冊子設定部Ｇ３１ｆがチェックされている場合、即ち、付加冊子設定部Ｇ３１ｆがチェックされ付加冊子設定Ｄ５ｂが０を示すことから、複数の区分のうち先頭の区分により形成される冊子のみにウォーターマークを形成すると判定した場合（ステップＳ２９；先頭区分）、ステップＳ２７に進む。
【０１１３】
制御部１１０は、付加冊子設定部Ｇ３１ｆがチェックされていない場合、即ち、付加冊子設定部Ｇ３１ｆがチェックされず付加冊子設定Ｄ５ｂが１を示すことから、複数の区分のうち全ての区分により形成される全ての冊子にウォーターマークを形成すると判定した場合（ステップＳ２９；全区分）、区分ページカウンタＤ７を初期化（「１」に設定）する（ステップＳ３０）。
【０１１４】
制御部１１０は、ステップＳ２７又はステップＳ３０後、前述したプリントページ設定処理を実行する（ステップＳ３１）。
【０１１５】
制御部１１０は、プリントページの設定処理後（ステップＳ３１後）、画像読取信号ＳＶＶがＯＮ状態からＯＦＦ状態に切り替わった際に実行する処理を終了する。
【０１１６】
図１２に、本実施の形態において実行されたプリント処理のイメージ図を示し、図１３に、図１２のプリント処理を実現する画像形成装置２の動作のタイムチャート例を示す。
【０１１７】
図１２及び図１３は、図３〜５に示す各種設定画面において、ステイプル設定部Ｇ１３ａがチェックされて左上の１ヶ所にステイプル処理が施され、ページ単位設定部Ｇ２３ａがチェックされ、一覧エリアＧ２３ｃに示された各種設定条件で各原稿ページが処理されると共に、ウォーターマーク設定部Ｇ３１ａがチェックされ、ウォーターマーク選択釦Ｇ３１ｂにより「至急」が設定され、タイプ選択ボタンＧ３１ｄにより「上書き」が選択され、付加ページ設定部Ｇ３１ｅがチェックされ、付加冊子設定部Ｇ３１ｆがチェックされていない場合における画像形成処理の例である。
【０１１８】
図１２（ａ）には、操作装置１においてアプリケーションソフトで作成された複数の原稿ページに対応する複数の個別画像データから成る画像データを示す。図１２（ｂ）には、画像形成装置２において用紙上に形成される複数のプリントページデータから成るプリントデータを示す。図１２（ｃ）には、画像形成装置２から排出される後処理後の用紙の束のイメージを示す。
【０１１９】
図１２（ａ）に示す操作装置１において作成された画像データは、各原稿ページに対応する個別画像データＩ１〜Ｉ６から成り、操作装置１から画像形成装置２に当該画像データが送信された際、各個別画像データを識別する識別番号（例えば、ページ１、ページ２・・・・）が個別画像データＩ１からＩ６に向かって順番に付加されジョブデータとして記憶される。
【０１２０】
図１２（ｂ）に示すプリントデータは、ウォーターマークの付加が設定された個別画像データにウォーターマークの画像データが合成された複数のプリントページデータＰｄ１〜Ｐｄ６から成る。例えば、プリントページデータＰｄ１、Ｐｄ４は、個別画像データＩ１、Ｉ４にウォーターマークの画像データＷがそれぞれ合成されたデータとして生成される。
【０１２１】
図１２（ｃ）に示す用紙の束のイメージは、プリントページデータＰｄ１〜Ｐｄ３までが１つの用紙の束としてステイプル処理されて１つの冊子を構成し、プリントページデータＰｄ４〜Ｐｄ６までが１つの用紙の束としてステイプル処理されて１つの冊子を構成したイメージ図である。
【０１２２】
次に、図１３に示す画像形成装置２の動作のタイムチャート例について図１２の場合を例として説明する。
第１給紙準備信号は、設定されたプリントページデータの情報、例えば、ステイプルの有無や区分の有無等を含むデータである。該データは、制御部１１０からプリント制御部４００及びプリント制御部４００を介して後処理制御部５００に出力される。第１給紙信号は、用紙Ｐを給紙カセット４１ａからレジストローラ４２ａまで搬送させる動作信号である。第１給紙準備信号がＯＮ活き当該第１給紙信号がＯＮ状態であるとき搬送動作中を示し、第１給紙準備信号に応じてプリント制御部４００から制御部１１０に出力される。
なお、第２給紙信号は、所定の時間間隔でＯＮされる。
【０１２３】
第２給紙準備信号は、プリントページデータの書込み動作の可否を示す信号であり、ＯＮ状態であるとき次に書き込まれる画像の書込み準備完了状態を示し、ＯＦＦ状態であるとき書込み準備中の状態を示し、制御部１１０からプリント制御部４００に出力される。第２給紙信号は、用紙をレジストローラ４２ａから転写装置４３ａまで搬送させる動作信号であり、第２給紙準備信号がＯＮ状態かつ当該第２給紙信号がＯＮ状態であるとき搬送動作中を示し、第２給紙準備信号に応じてプリント制御部４００から制御部１１０に出力される。
【０１２４】
排紙信号は、画像が形成された用紙をプリント部４０から後処理装置５０に排出させる動作信号であり、ＯＮ状態であるとき排出動作中を示し、プリント制御部４００から後処理制御部５００に出力される。区分信号は、排出動作中に用紙に形成された画像が、区分有りを示すプリントページデータであるか否かを示す信号であり、ＯＮ状態であるとき区分有りを示し、プリント制御部４００から後処理制御部５００に出力される。
【０１２５】
まず、時刻ｔ０のとき、図９及び図１０に示した動作が実行されることにより、画像形成の開始前に、操作装置１又は操作表示部３０によって設定された各種設定条件及び画像データをジョブデータとしてＲＡＭ１３０に記憶すると共に、ジョブデータを参照して、後処理モードＤ４及びウォーターマーク形成Ｄ５が共に設定されているか否か（ステイプル及びウォーターマーク形成の設定が有るか否か）を判定する。ジョブデータのプリントページ番号Ｄ６及び区分ページカウンタＤ７を初期化（「１」に設定）する。ウォーターマーク付加ページＤ５ａが１ページ目のみに設定されており、区分ページカウンタＤ７が１に設定されていることから、プリントページ番号Ｄ６に対応する個別画像データに、設定されたウォーターマークの画像データＷが合成されたプリントページデータＰｄ１を生成し設定する。プリント開始信号と共にジョブデータのコピーモードＤ３及び後処理モードＤ４がプリント制御部４００及び後処理制御部５００に送信される。
【０１２６】
時刻ｔ０〜ｔ１のとき、所定のタイミングで第１給紙信号がＯＮになり、用紙が給紙カセット４１ａからレジストローラ４２ａに搬送される。次に、所定のタイミングで第２給紙信号がＯＮになると、レジストローラ４２ａから転写装置４３ａへ用紙が搬送される。センサ４２ｂにより用紙の先端が検知されると、画像書込信号ＰＶＶがＯＮとなり、書き込みが開始されて、設定されたプリントページデータＰｄ１により１ページ目の用紙に画像形成する。
【０１２７】
時刻ｔ１のとき、書き込みが終了し、画像書込信号ＰＶＶがＯＮ状態からＯＦＦ状態に切り替わると、図１０及び図１１に示した動作が実行されることにより、プリントページ番号Ｄ６に１が加算され、Ｄ６＝２となる。１が加算される前のプリントページ番号（Ｄ６＝１）に対応する個別画像データはステイプル有りかつ区分無しであるため、区分ページカウンタＤ７に１が加算され、Ｄ７＝２となる。プリントページ番号Ｄ６に対応する個別画像データの区分ページカウンタＤ７は１ではないことから、プリントページ番号（Ｄ６＝２）に対応する個別画像データとして２ページ目のプリントページデータＰｄ２を生成し設定する。
【０１２８】
時刻ｔ１〜ｔ２のとき、用紙がレジストローラ４２ａから転写装置４３ａへ搬送され、次に、画像書込信号ＰＶＶがＯＮとなり、設定されたプリントページデータＰｄ２により２ページ目の用紙に画像が形成される。
【０１２９】
時刻ｔ２のとき、画像書込信号ＰＶＶがＯＮ状態からＯＦＦ状態に切り替わると、図１０及び図１１に示した動作が実行されることにより、プリントページ番号Ｄ６に１が加算され、Ｄ６＝３となる。１が加算される前のプリントページ番号（Ｄ６＝２）に対応する個別画像データはステイプル有りかつ区分無しであるため、区分ページカウンタＤ７に１が加算され、Ｄ７＝３となる。プリントページ番号Ｄ６に対応する個別画像データの区分ページカウンタＤ７は１ではないことから、プリントページ番号（Ｄ６＝３）に対応する個別画像データとしてプリントページデータＰｄ３を生成し設定する。
【０１３０】
また、時刻ｔ２において、１ページ目の用紙が後処理装置５０に排出される。
【０１３１】
時刻ｔ２〜ｔ３のとき、３ページ目の用紙がレジストローラ４２ａから転写装置４３ａへ搬送される。次に、画像書込信号ＰＶＶがＯＮ状態となり、設定されたプリントページデータＰｄ３により３ページ目の用紙に画像形成する。
【０１３２】
時刻ｔ３のとき、画像書込信号ＰＶＶがＯＮ状態からＯＦＦ状態に切り替わると、図１０及び図１１に示した動作が実行されることにより、プリントページ番号Ｄ６に１が加算され、Ｄ６＝４となる。１が加算される前のプリントページ番号（Ｄ６＝３）に対応する個別画像データはステイプル有りかつ区分有りであり、更に、付加冊子設定部Ｇ３１ｆがチェックされていないことにより付加冊子設定Ｄ５ｂが１に設定されウォーターマークを全ての区分に形成するよう設定されているため、区分ページカウンタＤ７が初期化され、Ｄ７＝１となる。更に、付加ページ設定部Ｇ３１ｅがチェックされていることによりウォーターマーク付加ページＤ５ａが１ページ目のみに設定される。区分ページカウンタＤ７が１に設定されていることから、プリントページ番号Ｄ６に対応する個別画像データに設定されたウォーターマークの画像データＷが合成され、プリントページデータＰｄ４を生成し設定する。
【０１３３】
また、時刻ｔ３において、２ページ目の用紙が後処理装置５０に排出される。
【０１３４】
時刻ｔ３〜ｔ４のとき、４ページ目の用紙がレジストローラ４２ａから転写装置４３ａへ搬送される。次に、画像書込信号ＰＶＶがＯＮ状態となり、設定されたプリントページデータＰｄ４により４ページ目の用紙に画像形成する。
【０１３５】
時刻ｔ４のとき、画像書込信号ＰＶＶがＯＮ状態からＯＦＦ状態に切り替わると、図１０及び図１１に示した動作が実行されることにより、プリントページ番号Ｄ６に１が加算され、Ｄ６＝５となる。１が加算される前のプリントページ番号（Ｄ６＝４）に対応する個別画像データはステイプル有りかつ区分無しであるため、区分ページカウンタＤ７に１が加算され、Ｄ７＝２となる。プリントページ番号Ｄ６に対応する個別画像データの区分ページカウンタＤ７は１ではないことから、プリントページ番号（Ｄ６＝５）に対応する個別画像データとしてプリントページデータＰｄ５を生成し設定する。
【０１３６】
また、時刻ｔ４において、３ページ目の用紙が後処理装置５０に排出されると共に、区分信号がＯＮ状態となるため、時刻ｔ０〜ｔ４において後処理装置５０に排出された１ページから３ページの用紙の束に対してステイプル処理が施される。
【０１３７】
時刻ｔ４〜ｔ５のとき、５ページ目の用紙がレジストローラ４２ａから転写装置４３ａへ搬送される。次に、画像書込信号ＰＶＶがＯＮ状態となり、設定されたプリントページデータＰｄ５により５ページ目の用紙に画像形成する。
【０１３８】
時刻ｔ５のとき、画像書込信号ＰＶＶがＯＮ状態からＯＦＦ状態に切り替わると、図１０及び図１１に示した動作が実行されることにより、プリントページ番号Ｄ６に１が加算され、Ｄ６＝６となる。１が加算される前のプリントページ番号（Ｄ６＝５）に対応する個別画像データはステイプル有りかつ区分無しであるため、区分ページカウンタＤ７に１が加算され、Ｄ７＝３となる。プリントページ番号Ｄ６に対応する個別画像データの区分ページカウンタＤ７は１ではないことから、プリントページ番号（Ｄ６＝６）に対応する個別画像データとしてプリントページデータＰｄ６を生成し設定する。
【０１３９】
また、時刻ｔ５において、４ページ目の用紙が後処理装置５０に排出される。
【０１４０】
時刻ｔ５〜ｔ６のとき、６ページ目の用紙がレジストローラ４２ａから転写装置４３ａへ搬送される。次に、画像書込信号ＰＶＶがＯＮ状態となり、設定されたプリントページデータＰｄ６により６ページ目の用紙に画像形成する。
【０１４１】
時刻ｔ６において、５ページ目の用紙が後処理装置５０に排出される。
【０１４２】
そして、時刻ｔ７において、６ページ目の用紙が後処理装置５０に排出されると共に、区分信号がＯＮ状態となるため、時刻ｔ４〜ｔ７において後処理装置５０に排出された４ページから６ページの用紙の束に対してステイプル処理が施され、プリント処理が終了される。
【０１４３】
図１４〜１６を参照して、本発明を適用した他の例について説明する。
図１４に、ページ単位設定画面Ｇ２０ｂを示す。図１５に、本実施の形態において実行されたプリント処理のイメージ図を示す。図１６に、図１５のプリント処理を実現する画像形成装置２の動作のタイムチャート例を示す。
【０１４４】
図１４に示すページ単位設定画面Ｇ２０ｂは、図４に示すページ設定画面Ｇ２０ａの一覧エリアＧ２３ｃが一覧エリアＧ２３ｄとなる以外は同様であるため、同様の部分は同様の符号を付して説明を省略し、異なる部分のみ説明する。
【０１４５】
図１４に示す一覧エリアＧ２３ｄは、６枚の原稿ページについて、それぞれ各条件について個別に設定されている。例えば、識別番号が１の原稿ページは、ステイプル無し、ステイプルの終了位置の指定なしと設定されている。識別番号が２〜５の原稿ページは、ステイプルが１ヶ所、ステイプルの終了位置の指定なしと設定されている。識別番号が６の原稿ページは、ステイプルが１ヶ所、ステイプルの終了位置の指定ありと設定されている。従って、識別番号が１の原稿ページの画像が形成された用紙と、識別番号が２〜６の原稿ページの画像が形成されステイプル処理された用紙の束（冊子）とが形成され排出されることとなる。
【０１４６】
図１５及び図１６は、図３及び図５と図１４に示す各種設定画面において、ステイプル設定部Ｇ１３ａがチェックされて左上の１ヶ所にステイプル処理が施され、ページ単位設定部Ｇ２３ａがチェックされ、一覧エリアＧ２３ｄに示された各種設定条件で各原稿ページが処理されると共に、ウォーターマーク設定部Ｇ３１ａがチェックされ、ウォーターマーク選択釦Ｇ３１ｂにより「至急」が設定され、タイプ選択ボタンＧ３１ｄにより「上書き」が選択され、付加ページ設定部Ｇ３１ｅがチェックされ、付加冊子設定部Ｇ３１ｆがチェックされていない場合における画像形成処理の例である。
【０１４７】
図１５（ａ）には、操作装置１においてアプリケーションソフトで作成された複数の原稿ページに対応する複数の個別画像データから成る画像データを示す。図１５（ｂ）には、画像形成装置２において用紙上に形成される複数のプリントページデータから成るプリントデータを示す。図１５（ｃ）には、画像形成装置２から排出される後処理後の用紙及び用紙の束のイメージを示す。
【０１４８】
図１５（ａ）に示す操作装置１において作成された画像データは、各原稿ページに対応する個別画像データＩ１１〜Ｉ１６から成り、操作装置１から像形成装置２に当該画像データが送信された際、各個別画像データを識別する識別番号（例えば、ページ１１、ページ１２・・・・）が個別画像データＩ１１からＩ１６に向かって順番に付加されジョブデータとして記憶される。
【０１４９】
図１５（ｂ）に示すプリントデータは、ウォーターマークの付加の設定がされた個別画像データにウォーターマークの画像データが合成された複数のプリントページデータＰｄ１１〜Ｐｄ１６から成る。例えば、プリントページデータＰｄ１１、Ｐｄ１２は、個別画像データＩ１１、Ｉ１２にウォーターマークの画像データＷがそれぞれ合成されたデータとして生成される。
【０１５０】
図１５（ｃ）に示す用紙の束のイメージは、プリントページデータＰｄ１１が形成された用紙と、プリントページデータＰｄ２〜Ｐｄ６までが１つの用紙の束としてステイプル処理されて１つの冊子を構成したイメージ図である。
【０１５１】
次に、図１６に示す画像形成装置２の動作のタイムチャート例を図１５の場合を例として説明する。
各種信号は、図１３に示すタイムチャートと同様であるため説明は省略する。
【０１５２】
まず、時刻ｔ１０のとき、図９及び１０に示した動作が実行されることにより、画像形成処理開始前に、操作装置１又は操作表示部３０によって設定された各種設定条件及び画像データをジョブデータとしてＲＡＭ１３０に記憶すると共に、ジョブデータを参照して、後処理モードＤ４及びウォーターマーク形成Ｄ５が共に設定されているか否か（ステイプル及びウォーターマーク形成の設定が有るか否か）を判定し、ジョブデータのプリントページ番号Ｄ６及び区分ページカウンタＤ７を初期化し「１」に設定する。ウォーターマーク付加ページＤ５ａが１ページ目のみに設定され、区分ページカウンタＤ７が１に設定されている場合、プリントページ番号Ｄ６に対応する個別画像データに、設定されたウォーターマークの画像データＷが合成されたプリントページデータＰｄ１を生成し設定する。プリント開始信号と共にジョブデータのコピーモードＤ３及び後処理モードＤ４がプリント制御部４００及び後処理制御部５００に送信される。
【０１５３】
時刻ｔ１０〜ｔ１１のとき、１ページ目の用紙が給紙カセット４１ａからレジストローラ４２ａに搬送される。次に、レジストローラ４２ａから転写装置４３ａへ用紙が搬送される。センサ４２ｂにより用紙の先端が検知されると、画像書込信号ＰＶＶがＯＮとなり、設定されたプリントページデータＰｄ１１により１ページ目の用紙に画像形成する。
【０１５４】
時刻ｔ１１のとき、書き込みが終了し、画像書込信号ＰＶＶがＯＮ状態からＯＦＦ状態に切り替わると、図１０及び１１に示した動作が実行されることにより、プリントページ番号Ｄ６に１が加算され、Ｄ６＝２となる。１が加算される前のプリントページ番号（Ｄ６＝１）に対応する個別画像データがステイプル無しかつ当該プリントページ番号（Ｄ６＝２）がステイプル有り、更に、付加冊子設定部Ｇ３１ｆがチェックされていない場合、付加冊子設定Ｄ５ｂが１に設定され、ウォーターマークを全ての区分に形成するよう設定されていると、区分ページカウンタＤ７が初期化され、Ｄ７＝１となる。付加ページ設定部Ｇ３１ｅがチェックされている場合、ウォーターマーク付加ページＤ５ａが１ページ目のみに設定さる。区分ページカウンタＤ７が１に設定されていることから、プリントページ番号Ｄ６に対応する個別画像データに、ウォーターマークの画像データＷが合成されたプリントページデータＰｄ１２を生成し設定する。
【０１５５】
時刻ｔ１１〜ｔ１２のとき、２ページ目の用紙がレジストローラ４２ａから転写装置４３ａへ搬送される。次に、画像書込信号ＰＶＶがＯＮ状態となり、設定されたプリントページデータＰｄ１２により２ページ目の用紙に画像形成する。
【０１５６】
時刻ｔ１２のとき、画像書込信号ＰＶＶがＯＮ状態からＯＦＦ状態に切り替わると、図１０及び図１１に示した動作が実行されることにより、プリントページ番号Ｄ６に１が加算され、Ｄ６＝３となる。１が加算される前のプリントページ番号（Ｄ６＝２）に対応する個別画像データはステイプル有りかつ区分無しであるため、区分ページカウンタＤ７に１が加算され、Ｄ７＝２となる。プリントページ番号Ｄ６に対応する個別画像データの区分ページカウンタＤ７は１ではないことから、プリントページ番号（Ｄ６＝３）に対応するプリントページデータＰｄ１３を生成し設定する。
【０１５７】
また、時刻ｔ１２において、１ページ目の用紙が排出される。
【０１５８】
時刻ｔ１２〜ｔ１３のとき、３ページ目の用紙がレジストローラ４２ａから転写装置４３ａへ搬送される。次に、画像書込信号ＰＶＶがＯＮ状態となり、設定されたプリントページデータＰｄ１３により３ページ目の用紙に画像形成する。
【０１５９】
時刻ｔ１３のとき、画像書込信号ＰＶＶがＯＮ状態からＯＦＦ状態に切り替わると、図１０及び図１１に示した動作が実行されることにより、プリントページ番号Ｄ６に１が加算され、Ｄ６＝４となる。１が加算される前のプリントページ番号（Ｄ６＝３）に対応する個別画像データはステイプル有りかつ区分無しであるため、区分ページカウンタＤ７に１が加算され、Ｄ７＝３となる。プリントページ番号Ｄ６に対応する個別画像データの区分ページカウンタＤ７は１ではないことから、プリントページ番号（Ｄ６＝４）に対応するプリントページデータＰｄ１４を生成し設定する。
【０１６０】
また、時刻ｔ１３において、２ページ目の用紙が後処理装置５０に排出される。
【０１６１】
時刻ｔ１３〜ｔ１４のとき、４ページ目の用紙がレジストローラ４２ａから転写装置４３ａへ搬送される。次に、画像書込信号ＰＶＶがＯＮ状態となり、設定されたプリントページデータＰｄ１４により４ページ目の用紙に画像形成する。
【０１６２】
時刻ｔ１４のとき、画像書込信号ＰＶＶがＯＮ状態からＯＦＦ状態に切り替わると、図１０及び図１１に示した動作が実行されることにより、プリントページ番号Ｄ６に１が加算され、Ｄ６＝５となる。１が加算される前のプリントページ番号（Ｄ６＝４）に対応する個別画像データはステイプル有りかつ区分無しであるため、区分ページカウンタＤ７に１が加算され、Ｄ７＝４となる。プリントページ番号Ｄ６に対応する個別画像データの区分ページカウンタＤ７は１ではないことから、プリントページ番号（Ｄ６＝５）に対応するプリントページデータＰｄ１５を生成し設定する。
【０１６３】
また、時刻ｔ１４において、３ページ目の用紙が後処理装置５０に排出される。
【０１６４】
時刻ｔ１４〜ｔ１５のとき、５ページ目の用紙がレジストローラ４２ａから転写装置４３ａへ搬送される。次に、画像書込信号ＰＶＶがＯＮ状態となり、設定されたプリントページデータＰｄ１５により５ページ目の用紙に画像形成する。
【０１６５】
時刻ｔ１５のとき、画像書込信号ＰＶＶがＯＮ状態からＯＦＦ状態に切り替わると、図１０及び図１１に示した動作が実行されることにより、プリントページ番号Ｄ６に１が加算され、Ｄ６＝６となる。１が加算される前のプリントページ番号（Ｄ６＝５）に対応する個別画像データはステイプル有りかつ区分無しであるため、区分ページカウンタＤ７に１が加算され、Ｄ７＝５となる。プリントページ番号Ｄ６に対応する個別画像データの区分ページカウンタＤ７は１ではないことから、プリントページ番号（Ｄ６＝６）に対応するプリントページデータＰｄ１６を生成し設定する。
【０１６６】
また、時刻ｔ１５において、４ページ目の用紙が後処理装置５０に排出される。
【０１６７】
時刻ｔ１５〜ｔ１６のとき、６ページ目の用紙がレジストローラ４２ａから転写装置４３ａへ搬送される。次に、画像書込信号ＰＶＶがＯＮ状態となり、設定されたプリントページデータＰｄ１６により６ページ目の用紙に画像形成する。
【０１６８】
時刻ｔ１６において、５ページ目の用紙が後処理装置５０に排出される。
【０１６９】
そして、時刻ｔ１７において、６ページ目の用紙が後処理装置５０に排出されると共に、区分信号がＯＮ状態となるため、時刻ｔ１３〜ｔ１７において後処理装置５０に排出された２ページから６ページの用紙の束に対してステイプル処理が施され、プリント処理が終了される。
【０１７０】
以上のように、本発明によれば、ユーザの操作無しに各区分の先頭の原稿ページ（１ページ目）に付加画像としてのウォーターマークを形成することができるため、例えば、ステイプル処理が施される用紙の束の先頭の用紙に形成される原稿ページには、必ずウォーターマークを形成することができる。これによりユーザは、後処理が実行される原稿ページの区分毎にウォーターマークを設定する手間が省かれるため、ユーザの使い勝手を向上することができる。
【０１７１】
また、原稿ページの複数の区分のうち、先頭の区分のみに付加画像を形成するか、全ての区分に付加画像を形成するかをユーザに任意に選択させることができ、ユーザに対する利便性を向上させることができる。更に、付加画像としてのウォーターマークの種類をユーザが選択できるため、ユーザが所望する種類のウォーターマークを用紙に形成することができる。
【０１７２】
また、本発明は、上記実施の形態の内容に限定されるものではなく、本発明の主旨を逸脱しない範囲で適宜変更可能である。
【図面の簡単な説明】
【０１７３】
【図１】本実施の形態における画像形成システムＡの構成である。
【図２】操作装置１の内部構成図である。
【図３】セットアップ画面Ｇ０の例である。
【図４】ページ単位設定画面Ｇ２０ａの例である。
【図５】ウォーターマーク設定画面Ｇ３０の例である。
【図６】画像形成装置２の概略断面構成図である。
【図７】画像形成装置２の制御ブロック図である。
【図８】ジョブデータの一例である。
【図９】画像形成処理開始時に実行される処理を示すフローチャートである。
【図１０】プリントページ設定処理のフローチャートである。
【図１１】画像形成処理開始後、画像書込信号ＰＶＶがＯＮ状態からＯＦＦ状態に切り替わった際に実行される処理のフローチャートである。
【図１２】本実施の形態において実行されたプリント処理のイメージ図である。
【図１３】図１２のプリント処理を実現する画像形成装置２の動作のタイムチャート例である。
【図１４】ページ単位設定画面Ｇ２０ｂの例である。
【図１５】本実施の形態において実行されたプリント処理の他のイメージ図である。
【図１６】図１５のプリント処理を実現する画像形成装置２の動作のタイムチャート例である。
【符号の説明】
【０１７４】
１  操作装置
２  画像形成装置
２ａ  本体部
２ｂ  プリンタコントローラ
２１ｂ  コントローラ制御部
２２ｂ  ＤＲＡＭ制御ＩＣ
２３ｂ  画像メモリ
２４ｂ  ＬＡＮＩＦ
１１  制御部
１２  記憶部
１２ａ  プリンタドライバプログラム
１３  ＲＡＭ
１４  操作部
１５  表示部
１６  通信部
１７  バス
２０  画像読取部
２１  自動原稿送り部
２２  読取部
２２ａ  ＣＣＤ
３０  操作表示部
３１  ＬＣＤ
４０  プリント部
４１  給紙部
４１ａ  給紙カセット
４１ｂ  給紙手段
４２  給紙搬送部
４２ａ  レジストローラ
４２ｂ  センサ
４３  画像形成部
４３ａ  転写装置
４３ｂ  定着装置
４４  搬出部
５０  後処理装置
１００  画像制御部
１１０  制御部
１２０  不揮発メモリ
１３０  ＲＡＭ
１３１  ジョブデータ
１３１ａ  ページ共通データ
１３１ｂ  ページ別データ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
５００  後処理制御部
Ａ  画像形成システム
ｄ  原稿
Ｇ１  セットアップインデックス
Ｇ２  ページ単位設定インデックス
Ｇ３  特殊画面インデックス
Ｇ４  フォームインデックス
Ｇ５  ウォーターマークインデックス
Ｇ６  画像品質インデックス
Ｇ７  フォントインデックス
Ｇ８  バージョンインデックス
Ｇ０  セットアップ画面
Ｇ１１  用紙設定エリア
Ｇ１２  出力設定エリア
Ｇ１３  製本設定エリア
Ｇ１３ａ  ステイプル設定部
Ｇ１３ｂ  ステイプル設定釦
Ｇ１４  プレビューエリア
Ｇ２０ａ、Ｇ２０ｂ  ページ単位設定画面
Ｇ２１  オモテ表紙設定エリア
Ｇ２２  ウラ表紙設定エリア
Ｇ２３  ページ単位設定エリア
Ｇ２３ａ  ページ単位設定部
Ｇ２３ｂ  条件選択釦
Ｇ２３ｃ、Ｇ２３ｄ  一覧エリア
Ｇ２４  プレビューエリア
Ｇ３０  ウォーターマーク設定画面
Ｇ３１  ウォーターマーク設定エリア
Ｇ３１ａ  ウォーターマーク設定部
Ｇ３１ｂ  ウォーターマーク選択釦
Ｇ３１ｃ  ウォーターマーク編集釦
Ｇ３１ｄ  タイプ選択ボタン
Ｇ３１ｅ  付加ページ設定部
Ｇ３１ｆ  付加冊子設定部
Ｇ３１ｇ  イメージ表示エリア
Ｇ３２  日付／時刻設定エリア
Ｇ３３  ページ番号設定エリア
Ｇ３４  ナンバリング設定エリア
Ｇ３５  プレビューエリア
Ｉ１〜Ｉ６、Ｉ１１〜Ｉ１６  個別画像データ
Ｐ  用紙
Ｐｄ１〜Ｐｄ６、Ｐｄ１１〜Ｐｄ１６  プリントページデータ
Ｔ１  原稿トレイ
Ｔ２  手差しトレイ
Ｔ３  排紙トレイ
Ｎ  ネットワーク
Ｗ  ウォーターマークの画像データ
【図１】
2008205900.tif 000003
【図２】
2008205900.tif 000004
【図３】
2008205900.tif 000005
【図４】
2008205900.tif 000006
【図５】
2008205900.tif 000007
【図６】
2008205900.tif 000008
【図７】
2008205900.tif 000009
【図８】
2008205900.tif 000010
【図９】
2008205900.tif 000011
【図１０】
2008205900.tif 000012
【図１１】
2008205900.tif 000013
【図１２】
2008205900.tif 000014
【図１３】
2008205900.tif 000015
【図１４】
2008205900.tif 000016
【図１５】
2008205900.tif 000017
【図１６】
2008205900.tif 000018